(57)【要約】【課題】従来よりある２種類の取付枠体のいずれにも適用可能な共用のランプユニットであってしかも構造が簡単で製造するにはコストと手間がそれ程かからず、しかも耐久性・堅固性に富んだ実用的な汎用的なランプユニットを提供する。【解決手段】係止部（窓）５２Ｗを先端に備えた弾性アーム５２Ｓを２本互いに所定間隔あけて平行に延設する取付枠体５２の２つの係止部５２Ｗの間に向かって１方向から接近して２つの係止部５２Ｗとそれぞれ嵌合する係止部材を自身の対向する面に備えたランプユニット１１であって、各係止部材１１Ｔが、断面が直角三角形をした第１の係止部材１１Ｔ１と、第１の係止部材１１Ｔ１と同一形状をした第２の係止部材１１Ｔ２とから成り、かつ第１の係止部材１１Ｔ１と第２の係止部材１１Ｔ２とが互いの垂直面同士を背中合わせにして所定間隔離れて嵌合方向に１列に並んで固定配置されて成るものである。【選択図】図１
2010100127.tif 000002
【特許請求の範囲】
【請求項１】
係止部を先端に備えた弾性アームを２本互いに所定間隔あけて平行に延設する取付枠体の前記２つの係止部の間に向かって１方向から接近して前記２つの係止部とそれぞれ嵌合する係止部材を自身の対向する面に備えたランプユニットであって、前記各係止部材が、断面が直角三角形をした第１の係止部材と、該第１の係止部材と同一形状をした第２の係止部材とから成り、かつ第１の係止部材と第２の係止部材とが互いの垂直面同士を背中合わせにして所定間隔離れて嵌合方向に１列に並んで固定配置されて成るものであることを特徴とするランプユニット。
【請求項２】
係止部を先端に備えた弾性アームを２本互いに所定間隔あけて平行に延設する取付枠体の前記２つの係止部の間に向かって１方向から接近して前記２つの係止部とそれぞれ嵌合する係止部材を自身の対向する面に備えたランプユニットであって、前記各係止部材が、正四角柱と該正四角柱の上に載置固定された正四角台とから成るものであることを特徴とするランプユニット。
【発明の詳細な説明】
【技術分野】
【０００１】
本発明は、自動車の室内照明に使用される発光ダイオード等を内蔵した自動車のランプユニットに関するもので、特に自動車の上下または上下左右のいずれの方向にもランプユニットを常に下向きの照明の状態で取り付けることのできるロック構造に関するものである。
【背景技術】
【０００２】
〈従来のランプユニットのロック構造１〉
図６は従来のランプユニットのロック構造１を説明する図で、（ａ）は取付アームを下方に備えた取付枠体にランプユニットを下から取り付ける前の状態の斜視図であり、（ｂ）は両者を取り付けた状態の斜視図である。
取付枠体５２はランプユニット５１を取り付ける取付アーム５２Ｓを下方に複数箇所（図では４カ所）備えており、この取付枠体５２の取付穴にネジＮ等を通してこれを車内の天井に固定し、取付枠体５２から下方に延びた取付アーム５２Ｓにランプユニット５１を下から押し込んでその窓５２Ｗに固定する構造となっている。
【０００３】
〈図６のランプユニット５１の形状〉
ランプユニット５１は直方体をしており、その内部に発光ダイオード等を内蔵して下方を照明している。直方体５１の対向面で取付枠体５２のコ字形両アーム５２Ｓにそれぞれ嵌合される面に、係止部材５１Ｔが設けられている。係止部材５１Ｔは嵌合方向先端（図で上方）から後端（図で下方）に向けて高くなる斜面となりかつ斜面の頂上からは嵌合面に直角に向かっていて、その嵌合方向に沿って切った断面は直角三角形となっている。係止部材５１Ｔの斜面幅は長方形窓５２Ｗの横幅より若干小さめで、斜面長は長方形窓５２Ｗの長さより若干小さめである。
【０００４】
〈図６の取付枠体５２の形状〉
取付枠体５２は、弾性（バネ性）部材で取付枠体５２をコ字形に形成し、そのコ字形の両アーム５２Ｓにそれぞれ長方形窓５２Ｗをあけている。長方形窓５２Ｗは図１では１側面に２個設けているが、１個でも３個以上でも構わない。要は取り付けるランプユニット５１の大きさで決めればよい。
【０００５】
〈図６のランプユニットのロックのしかた〉
そこで、図６のランプユニット５１を取付枠体５２に取り付けるには、図６（ａ）のように、ランプユニット５１を下から取付枠体５２に押し付けると、ランプユニット５１の係止部材５１Ｔが取付枠体５２のコ字形両アーム５２Ｓに当接し、さらに押し上げるとコ字形アーム５２Ｓの弾性でコ字形両アーム５２Ｓが互いに離間する方向に開くので、コ字形両アーム５２Ｓの先端は係止部材５１Ｔの斜面を上っていき、斜面の頂上を越えるとランプユニット５１の係止部材５１Ｔの直角部位に取付枠体５２の窓５２Ｗの枠が係合して、図６（ｂ）のようにランプユニット５１のロックが完了する。
以上のロック構造１の他に、次に述べる別のロック構造２も従来よりあった。
【０００６】
〈従来のランプユニットのロック構造２〉
図７は従来のランプユニットのロック構造２を説明する図で、（ａ）は取付アームを上方に備えた取付枠体にランプユニットを取り付ける前の状態の斜視図であり、（ｂ）は両者を取り付けた状態の斜視図である。
取付枠体６２はランプユニット６１を取り付ける取付アーム６２Ｓを上方に備えており、この取付枠体６２の取付穴にネジＮ等を通してこれを車内の天井裏側に固定し、取付枠体６２から上方に延びた取付アーム６２Ｓにランプユニット５１を上から押し込んで固定する構造となっている。
【０００７】
〈図７のランプユニット６１の形状〉
ランプユニット６１は図６のランプユニット５１と同じで直方体をしており、その内部に発光ダイオード等を内蔵して下方を照明している。直方体６１の対向面で取付枠体６２のコ字形両アーム６２Ｓにそれぞれ嵌合される面に、係止部材６１Ｔが設けられている。係止部材６１Ｔは嵌合方向先端（図で下方）から後端（図で上方）に向けて高くなる斜面となりかつ斜面の頂上からは嵌合面に直角に向かっていて、その嵌合方向に沿って切った断面は直角三角形となっている。係止部材６１Ｔの斜面幅は長方形窓５２Ｗの横幅より若干小さめで、斜面長は長方形窓５２Ｗの長さより若干小さめである。
【０００８】
〈図７の取付枠体６２の形状〉
取付枠体６２は、弾性（バネ性）部材で取付枠体６２をコ字形に形成し、そのコ字形の両アーム６２Ｓにそれぞれ長方形窓６２Ｗをあけている。長方形窓６２Ｗは図７では１側面に２個設けているが、１個でも３個以上でも構わない。要は取り付けるランプユニット６１の大きさで決めればよい。
取付枠体６２の取付部の中央には開口６２Ｌが形成されていて、ランプユニット６１に搭載のＥＬランプの光が開口６２Ｌを通過して天井に設けられた開口穴を介して車内が照明される。
【０００９】
〈図７のランプユニットのロックのしかた〉
取付枠体６２にランプユニット６１を取り付けるには、図７（ａ）のように、ランプユニット６１を取付枠体６２の上方から下に向けて下げていくと、ランプユニット６１の係止部材６１Ｔの斜面に取付枠体６２のコ字形両アーム６２Ｓが当接し、コ字形両アーム６２Ｓは弾性（バネ）で互いに離間する方向に開くのでその先端は係止部材５１Ｔの斜面を進み、斜面の頂上を越えるとその直角部位に取付枠体６２の窓６２Ｗの枠が係合して、図７（ｂ）のようにランプユニット６１のロックが完了する。
【００１０】
このように取付枠体には、従来から、下方から取付ける取付枠体５２と上方から取付ける取付枠体６２の２種類の取付枠体があり、したがってそれに取り付けられるべきランプユニットもそれに合わせて、下方からアクセスして枠体に係止するランプユニット５１と上方からアクセスして枠体に係止するランプユニット６１と２種類のランプユニットが必要であって、両者に互換性がなかった。
【特許文献１】特開２００６−２４４６０号公報
【特許文献２】実開平３−１０４５０６号公報
【００１１】
また、構造体を２方向（特許文献１）および４方向（特許文献２）から取り付ける取付構造のものは、従来から存在はしていたが、その具体的な実現構成はかなり複雑であって、それを製造するにはかなりコストと手間がかかり、しかも耐久性・堅固性に乏しく実用的ではなかった。
【発明の開示】
【発明が解決しようとする課題】
【００１２】
本発明は、上記した課題を解決するもので、従来よりある２種類の取付枠体のいずれにも適用可能な共用のランプユニットであってしかも構造が簡単で製造するにはコストと手間がそれ程かからず、しかも耐久性・堅固性に富んだ実用的な汎用的なランプユニットを提供することを目的としている。
【課題を解決するための手段】
【００１３】
上記目的を達成するために、第１発明はランプユニットに係るもので、係止部を先端に備えた弾性アームを２本互いに所定間隔あけて平行に延設する取付枠体の前記２つの係止部の間に向かって１方向から接近して前記２つの係止部とそれぞれ嵌合する係止部材を自身の対向する面に備えたランプユニットであって、前記各係止部材が、断面が直角三角形をした第１の係止部材と、該第１の係止部材と同一形状をした第２の係止部材とから成り、かつ第１の係止部材と第２の係止部材とが互いの垂直面同士を背中合わせにして所定間隔離れて嵌合方向に１列に並んで固定配置されて成るものであることを特徴としている。
【００１４】
同じく、第２発明もランプユニットに係るもので、係止部を先端に備えた弾性アームを２本互いに所定間隔あけて平行に延設する取付枠体の前記２つの係止部の間に向かって１方向から接近して前記２つの係止部とそれぞれ嵌合する係止部材を自身の対向する面に備えたランプユニットであって、前記各係止部材が、正四角柱と該正四角柱の上に載置固定された正四角台とから成るものであることを特徴としている。
【発明の効果】
【００１５】
このような構成により、従来よりある２種類の取付枠体のいずれにも適用可能な共用のランプユニットであってしかも構造が簡単で製造するにはコストと手間がそれ程かからず、しかも耐久性・堅固性に富んだ実用的な汎用的なランプユニットが得られることとなる。
【発明を実施するための最良の形態】
【００１６】
以下、本発明に係る自動車のランプユニットのロック構造について、図面に基づいて説明する。
【００１７】
〈実施の形態１のランプユニットのロック構造〉
図１は本発明の実施の形態１に係るランプユニットのロック構造を説明する図で、（ａ）は取付アームを下方に備えた取付枠体にランプユニットを取り付ける前の状態の斜視図であり、（ｂ）は両者を取り付けた状態の斜視図である。
【００１８】
〈図１の取付枠体５２の形状〉
取付枠体５２は従来のものを使用するので、図６の取付枠体５２と同じものである。すなわち、取付枠体５２は、弾性（バネ性）部材で取付枠体５２をコ字形に形成し、そのコ字形の両アーム５２Ｓにそれぞれ長方形窓５２Ｗをあけている。
【００１９】
〈図１のランプユニット１１の形状〉
ランプユニット１１は実施の形態１に係るもので、そのランプユニット本体１１は直方体をしており、その形状および機能は図６のランプユニット本体５１と同じで、内部に発光ダイオード等を内蔵して下方を照明している。
図６のランプユニット本体５１と異なるのは、係止部材で、直方体１１の対向面に２種の係止部材１１Ｔ１と１１Ｔ２とを設けたのが特徴である。
第１係止部材１１Ｔ１は図６の係止部材５１Ｔと同じである。すなわち、嵌合方向先端から後端に向けて高くなる斜面となりかつ斜面の頂上からは嵌合面に直角に向かっていて、その長さ方向の断面は直角三角形となっている。係止部材１１Ｔの斜面幅は長方形窓５２Ｗの横幅より若干小さめで、斜面長は長方形窓５２Ｗの長さより若干小さめである。
また、第２係止部材１１Ｔ２は図７の係止部材６１Ｔと同じである。すなわち、嵌合方向先端（図で下方向）から後端（図で上方向）に向けて高くなる斜面となりかつ斜面の頂上からは嵌合面に直角に向かっていて、その長さ方向の断面は直角三角形となっている。係止部材１１Ｔ２の斜面幅は長方形窓５２Ｗの横幅より若干小さめで、斜面長は長方形窓５２Ｗの長さより若干小さめである。第１の係止部材１１Ｔ１と第２の係止部材１１Ｔ２とが互いの垂直面同士を背中合わせにして所定間隔離れて嵌合方向に１列に並んで固定配置されている。第１係止部材１１Ｔ１と第２係止部材１１Ｔ２との所定間隔とは、長方形窓５２Ｗの窓枠の幅より若干大きい程度の値である。
【００２０】
〈図１のランプユニットの取付枠体５２へのロックのしかた〉
そこで、図１のランプユニットを取付枠体５２へ取り付けるには、図１（ａ）のように、ランプユニット１１を下から取付枠体５２に押し付けると、ランプユニット１１の係止部材１１Ｔ１が取付枠体５２のコ字形両アーム５２Ｓに当接し、さらに押し上げるとコ字形アーム５２Ｓの弾性（バネ）でコ字形両アーム５２Ｓが互いに離間する方向に開くので、コ字形両アーム５２Ｓの先端は係止部材１１Ｔ１の斜面を上っていき、斜面の頂上を越えるとランプユニット１１の係止部材１１Ｔ１の直角部位に取付枠体５２の窓５２Ｗの枠が係合して、ランプユニット１１のロックが完了する。図１（ｂ）はこのようにしてロックが完了した状態を示している。
【００２１】
〈図１のランプユニットの取付枠体６２へのロックのしかた〉
次に、図１のランプユニットを取付枠体６２へ取り付けるには、図２（ａ）のように、ランプユニット１１を上から取付枠体６２に押し付けると、ランプユニット１１の係止部材１１Ｔ２が取付枠体６２のコ字形両アーム６２Ｓに当接し、さらに押し上げるとコ字形アーム６２Ｓの弾性でコ字形両アーム６２Ｓが互いに離間する方向に開くので、コ字形両アーム６２Ｓの先端は係止部材１１Ｔ２の斜面を下っていき、斜面の頂上を越えるとランプユニット１１の係止部材１１Ｔ２の直角部位に取付枠体６２の窓６２Ｗの枠が係合して、ランプユニット１１のロックが完了する。図２（ｂ）はこのようにしてロックが完了した状態を示している。
【００２２】
このように、実施の形態１によれば、従来よりある２種類の取付枠体のいずれにも本発明に係るランプユニットを用いると取り付け可能となる。
しかも構造が簡単で製造するにはコストと手間がそれ程かからず、しかも耐久性・堅固性に富んだ実用的な汎用的なランプユニットとなる。
【００２３】
〈実施の形態２〉
次に、本発明の実施の形態２に係るランプユニットを図３に示す。図３において、（ａ）は正面図、（ｂ）は平面図、（ｃ）は側面図（ｄ）は斜視図である。
〈図３のランプユニット３１の形状〉
ランプユニット３１は実施の形態２に係るもので、そのランプユニット本体３１は直方体をしており、その形状および機能は図１のランプユニット本体１１と同じで、内部に発光ダイオード等を内蔵して下方を照明している。
図１のランプユニット本体１１と異なるのは係止部材である。図１では斜面のある係止部材を２個（１１Ｔ１、１１Ｔ２）それぞれの対向面に設けていたが、図３では正四角柱３０Ｄと正四角台３０Ｈから成る係止部材３０Ｔを設けたのが特徴である。この係止部材３０Ｔは、高さの低い正四角柱３０Ｄと、この正四角柱３０Ｄの上に載置固定されるため、正四角柱３０Ｄの形状と底面の四角形が同一で上方に向かって傾斜しながら先細りとなって（斜面３０Ｋ）所定の高さで底面と平行な面で平らの頂上となる正四角台３０Ｈと、から成っている。
係止部材３０Ｔの四角柱３０Ｄの大きさは長方形窓５２Ｗ（図６）および６２Ｗ（図７）より若干小さい程度である。
【００２４】
〈図３のランプユニットの取付枠体５２、６２へのロックのしかた〉
そこで、図３のランプユニットを取付枠体５２（図６）および６２（図７）へ取り付ける取り付け方を図４で説明する。図４は図３のランプユニットを取付枠体５２（図６）および６２（図７）へ取り付ける取り付け方を説明する正面図で、（ａ）→（ｂ）→（ｃ）が前者、（ａ）→（ｄ）→（ｅ）が後者である。
【００２５】
〈上にある取付枠体７１へのロックのしかた〉
図３のランプユニットを取付枠体５２（図６）へ取り付けるには、（ａ）のようにランプユニット３１を下から取付枠体７１（図６の５２に相当）に押し付けると、ランプユニット３１の係止部材３０Ｔが取付枠体７１のコ字形両アームに当接する。取付枠体７１のコ字形両アームは先端が互いに離反する方向に若干開いているので、その先端は係止部材３０Ｔの四角柱部分３０Ｄ（図ａ）に当接せずにいきなり斜面３０Ｋ（図ａ）に当接するため、スムーズに斜面３０Ｋを上っていくことができる（図４（ｂ））。そして、先端が斜面３０Ｋの頂上を乗り越えるとランプユニット３１の係止部材３０Ｔの四角柱部分３０Ｄ（図ａ）に窓が係合して、ランプユニット３１のロックが完了する。図４（ｃ）はこのようにしてロックが完了した状態を示している。
【００２６】
〈下にある取付枠体７２へのロックのしかた〉
図３のランプユニットを取付枠体６２（図７）へ取り付けるには、（ａ）のようにランプユニット３１を上から取付枠体７２（図７の６２に相当）に押し付けると、ランプユニット３１の係止部材３０Ｔが取付枠体７２のコ字形両アームに当接する。取付枠体７２のコ字形両アームは先端が互いに離反する方向に若干開いているので、その先端は係止部材３０Ｔの四角柱部分３０Ｄ（図ａ）に当接せずにいきなり斜面３０Ｋ（図ａ）に当接するため、スムーズに斜面３０Ｋを上っていくことができる（図４（ｄ））。そして、先端が斜面３０Ｋの頂上を乗り越えるとランプユニット３１の係止部材３０Ｔの四角柱部分３０Ｄ（図ａ）に窓が係合して、ランプユニット３１のロックが完了する。図４（ｅ）はこのようにしてロックが完了した状態を示している。
【００２７】
このように、実施の形態２に係るランプユニット３１も、実施の形態１と同様に上下にある取付枠体５２、６２の両方に取り付けることができる。
そればかりか、実施の形態２に係るランプユニット３１は左右にある取付枠体にも同様にして取り付けることができるのが特徴である。
【００２８】
〈図３のランプユニットの左右の取付枠体へのロックのしかた〉
そこで、図３のランプユニットを水平方向の左右に位置する取付枠体へ取り付ける取り付け方を図５で説明する。図５は図３のランプユニットを左右の取付枠体へ取り付ける取り付け方を説明する平面図で、（ａ）→（ｂ）→（ｃ）が左にある取付枠体、（ａ）→（ｄ）→（ｅ）が右にある取付枠体である。
【００２９】
〈左にある取付枠体７３へのロックのしかた〉
図３のランプユニットを取付枠体７３へ取り付けるには、（ａ）のようにランプユニット３１を右から取付枠体７３に押し付けると、ランプユニット３１の係止部材３０Ｔが取付枠体７３のコ字形両アームに当接する。取付枠体７３のコ字形両アームは先端が互いに離反する方向に若干開いているので、その先端は係止部材３０Ｔの四角柱部分３０Ｄ（図ａ）に当接せずにいきなり斜面３０Ｋ（図ａ）に当接するため、スムーズに斜面３０Ｋを上っていくことができる（図５（ｂ））。そして、先端が斜面３０Ｋの頂上を乗り越えるとランプユニット３１の係止部材３０Ｔの四角柱部分３０Ｄ（図ａ）に窓が係合して、ランプユニット３１のロックが完了する。図５（ｃ）はこのようにしてロックが完了した状態を示している。
【００３０】
〈右にある取付枠体７４へのロックのしかた〉
図３のランプユニットを取付枠体７４へ取り付けるには、（ａ）のようにランプユニット３１を左から取付枠体７４に押し付けると、ランプユニット３１の係止部材３０Ｔが取付枠体７４のコ字形両アームに当接する。取付枠体７４のコ字形両アームは先端が互いに離反する方向に若干開いているので、その先端は係止部材３０Ｔの四角柱部分３０Ｄ（図ａ）に当接せずにいきなり斜面３０Ｋ（図ａ）に当接するため、スムーズに斜面３０Ｋを上っていくことができる（図５（ｄ））。そして、先端が斜面３０Ｋの頂上を乗り越えるとランプユニット３１の係止部材３０Ｔの四角柱部分３０Ｄ（図ａ）に窓が係合して、ランプユニット３１のロックが完了する。図５（ｅ）はこのようにしてロックが完了した状態を示している。
【００３１】
このように、実施の形態２に係るランプユニット３１は実施の形態１と同様に上下にある取付枠体７１、７２の両方に取り付けることができるばかりか、左右にある取付枠体７３、７４の両方にも取り付けることができるので便利である。
【００３２】
このように、本発明に係るランプユニットを用いると従来よりある２種類の取付枠体のいずれにも取り付け可能となる。しかも構造が簡単で製造するにはコストと手間がそれ程かからず、しかも耐久性・堅固性に富んだ実用的な汎用的なランプユニットとなる。
【図面の簡単な説明】
【００３３】
【図１】本発明の実施の形態１に係るランプユニットのロック構造を説明する図で、（ａ）は取付アームを下方に備えた取付枠体にランプユニットを取り付ける前の状態の斜視図であり、（ｂ）は両者を取り付けた状態の斜視図である。
【図２】本発明の実施の形態１に係るランプユニットのロック構造を説明する図で、（ａ）は取付アームを上方に備えた取付枠体にランプユニットを取り付ける前の状態の斜視図であり、（ｂ）は両者を取り付けた状態の斜視図である。
【図３】本発明の実施の形態２に係るランプユニットを説明する図で、（ａ）は正面図、（ｂ）は平面図、（ｃ）は側面図（ｄ）は斜視図である。
【図４】図３のランプユニットを取付枠体５２（図６）および６２（図７）へ取り付ける取り付け方を説明する正面図で、（ａ）→（ｂ）→（ｃ）が前者、（ａ）→（ｄ）→（ｅ）が後者である。
【図５】図３のランプユニットを左右の取付枠体へ取り付ける取り付け方を説明する平面図で、（ａ）→（ｂ）→（ｃ）が左にある取付枠体、（ａ）→（ｄ）→（ｅ）が右にある取付枠体である。
【図６】従来のランプユニットのロック構造１を説明する図で、（ａ）は取付アームを下方に備えた取付枠体にランプユニットを下から取り付ける前の状態の斜視図であり、（ｂ）は両者を取り付けた状態の斜視図である。
【図７】従来のランプユニットのロック構造２を説明する図で、（ａ）は取付アームを上方に備えた取付枠体にランプユニットを取り付ける前の状態の斜視図であり、（ｂ）は両者を取り付けた状態の斜視図である。
【符号の説明】
【００３４】
１１  実施の形態１に係るランプユニット
１１Ｔ１、１１Ｔ２  係止部材
３１  実施の形態２に係るランプユニット
３０Ｄ  正四角柱
３０Ｈ  正四角台
３０Ｋ  斜面
３０Ｔ  係止部材
５２、６２  取付枠体
５２Ｓ、６２Ｓ  アーム
５２Ｗ、６２  長方形窓
【図１】
2010100127.tif 000003
【図２】
2010100127.tif 000004
【図３】
2010100127.tif 000005
【図４】
2010100127.tif 000006
【図５】
2010100127.tif 000007
【図６】
2010100127.tif 000008
【図７】
2010100127.tif 000009